(57)【要約】【課題】利用者の希望に合わせた詳細な交通案内情報を提供することができる携帯端末、交通案内情報処理装置、交通案内システム、及び交通案内プログラムを提供する。【解決手段】本実施の形態の携帯端末１０では、駅構内から目的地の駅までの交通案内を行う場合は、可視光通信部４６により送受信機３６等によりサーバ装置２０と通信を行うことにより、案内図を作成し、利用者が移動中に現在位置から目的地までの交通案内を行い、鉄道の車内における利用者に対して交通案内を行うことができるので、利用者の希望に合わせた詳細な交通案内情報を提供することができる。【選択図】図１
2009085784.tif 000002
【特許請求の範囲】
【請求項１】
可視光通信手段と、
前記可視光通信手段により、ステーションに設けられた可視光を発生する光源からステーション内における現在位置情報を取得する現在位置情報取得手段と、
目的地を指示する目的地指示手段と、
前記現在位置情報と、前記目的地と、に基づいて前記目的地までの案内情報を生成する案内情報生成手段と、
前記案内情報を表示する表示手段と、
を備えたことを特徴とする携帯端末。
【請求項２】
前記案内情報生成手段は、交通案内情報処理装置から前記可視光通信手段により受信した前記ステーションに関する情報を用いて案内情報を生成することを特徴とする請求項１に記載の携帯端末。
【請求項３】
前記可視光通信手段は、現在位置を判別するための信号及び前記目的地を送信し、かつ、前記信号により判別した現在位置と前記目的地とに基づいて交通案内情報処理装置で生成された前記目的地までの案内情報を受信し、前記表示手段は、前記案内情報を表示することを特徴とする請求項１または請求項２に記載の携帯端末。
【請求項４】
前記現在位置情報取得手段により取得した現在位置情報と前記目的地とが一致した場合に報知する報知手段を備えたことを特徴とする請求項１から請求項３の何れか１項に記載の携帯端末。
【請求項５】
前記目的地は、ホーム、乗車位置、及び前記ステーションと異なるステーションの少なくとも１つであることを特徴とする請求項１から請求項４の何れか１項に記載の携帯端末。
【請求項６】
前記目的地指示手段は、チケット情報を読取るチケット情報読取手段を含み、前記チケット情報読取手段により読取ったチケット情報に基づいて目的地を指示することを特徴とする請求項１から請求項５の何れか１項に記載の携帯端末。
【請求項７】
前記チケット情報読取手段は、チケットに表示された降車ステーション、路線名、車両番号、及び座席番号の少なくとも１つを読取り、
前記目的地指示手段は、乗車位置を目的地として指示することを特徴とする請求項６に記載の携帯端末。
【請求項８】
前記目的地までの経路の条件を設定する条件設定手段を備え、
前記案内情報生成手段は、前記経路の条件に従って案内情報を生成することを特徴とする請求項１から請求項７の何れか１項に記載の携帯端末。
【請求項９】
前記現在位置情報取得手段は、車両に設けられた可視光を発生する光源から現在位置情報を取得することを特徴とする請求項１から請求項８の何れか１項に記載の携帯端末。
【請求項１０】
前記可視光通信手段により、車両に設けられた可視光を発生する光源から前記車両の行き先に関する運行情報を取得する運行情報取得手段を備えたことを特徴とする請求項１から請求項９の何れか１項に記載の携帯端末。
【請求項１１】
ＧＰＳ受信手段と、
前記ＧＰＳ受信手段により受信した現在位置から前記ステーションまでの経路を表す経路情報を生成する経路生成手段と、
を備えたことを特徴とする請求項１から請求項１０の何れか１項に記載の携帯端末。
【請求項１２】
前記ＧＰＳ受信手段により受信した現在位置が前記ステーションから所定の範囲内である場合は、前記ＧＰＳ受信手段を前記可視光通信手段に切替える通信切替手段を備えたことを特徴とする請求項１１に記載の携帯端末。
【請求項１３】
前記通信切替手段により前記可視光通信手段に切替えられた場合は、前記目的地を前記ステーションの改札口とし、前記現在位置情報取得手段は、前記ステーションの改札口に設けられた可視光を発生する光源から現在位置情報を取得することを特徴とする請求項１２に記載の携帯端末。
【請求項１４】
前記ステーションは、鉄道のステーション及びバスのステーションの少なくとも一方であることを特徴とする請求項１から請求項１３に記載の携帯端末。
【請求項１５】
可視光通信手段と、
前記可視光通信手段により、ステーションに設けられた可視光を発生する光源から携帯端末に現在位置情報を提供する現在位置情報提供手段と、
前記携帯端末において、前記現在位置情報と、目的地と、に基づいて前記目的地までの案内情報を生成するために用いる前記ステーションに関する情報を前記可視光通信手段により提供するステーション情報提供手段と、
を備えたことを特徴とする交通案内情報処理装置。
【請求項１６】
前記可視光通信手段により携帯端末から送信された現在位置を判別するための信号と、目的地と、を受信する受信手段と、
前記信号に基づいて前記携帯端末の現在位置を判別する現在位置判別手段と、
前記目的地と、前記現在位置と、に基づいて前記目的地までの案内情報を生成し、前記可視光通信手段により前記携帯端末に提供する交通案内情報提供手段と、
を備えたことを特徴とする請求項１５に記載の交通案内情報処理装置。
【請求項１７】
前記請求項１から請求項１４の何れか１項に記載の携帯端末と、
前記請求項１５または請求項１６に記載の交通案内情報処理装置と、
を備えたことを特徴とする交通案内システム。
【請求項１８】
現在位置情報取得手段が可視光通信手段により、ステーションに設けられた可視光を発生する光源からステーション内における現在位置情報を取得する現在位置情報取得ステップと、
目的地指示手段により、目的地を指示する目的地指示ステップと、
案内情報生成手段により、前記現在位置情報と、前記目的地とに基づいて前記目的地までの案内情報を生成する案内情報生成ステップと、
表示手段により前記案内情報を表示する案内情報表示ステップと、
を有する処理を携帯端末で実行させることを特徴とする交通案内プログラム。
【請求項１９】
前記案内情報生成ステップは、交通案内情報処理装置から前記可視光通信手段により受信した前記ステーションに関する情報を処理して案内情報を生成するステップであることを特徴とする請求項１８に記載の交通案内プログラム。
【請求項２０】
可視光通信手段により、現在位置を判別するための信号及び前記目的地を送信する送信ステップと、
前記信号により判別した現在位置と前記目的地とに基づいて交通案内情報処理装置で生成された前記目的地までの案内情報を受信する案内情報受信ステップと、
前記表示手段により、前記案内情報を表示する案内情報表示ステップと、
を有することを特徴とする請求項１８または請求項１９に記載の交通案内プログラム。
【請求項２１】
可視光通信手段と、
前記可視光通信手段により、可視光を発生する光源から現在位置情報を取得する現在位置情報取得手段と、
目的地を指示する目的地指示手段と、
前記現在位置と前記目的地との間にあるステーションから前記ステーション及び前記目的地に向かう車両の少なくとも一方の乗客数情報を受信し、前記乗客数情報に基づいて混雑情報を生成する混雑情報生成手段と、
前記混雑情報を表示する表示手段と、
を備えたことを特徴とする携帯端末。
【請求項２２】
前記乗客数情報は前記ステーションのホーム及び前記目的地に向かう車両の内部の少なくとも一方を撮影して得られた画像に基づく情報であることを特徴とする請求項２１に記載の携帯端末。
【請求項２３】
前記現在位置情報取得手段は、車両に設けられた可視光を発生する光源から現在位置情報を取得することを特徴とする請求項２１または請求項２２に記載の携帯端末。
【請求項２４】
前記混雑情報生成手段は、前記ステーションを始発駅とする車両に関する混雑情報を生成することを特徴とする請求項２１から請求項２３の何れか１項に記載の携帯端末。
【請求項２５】
前記現在位置情報取得手段により取得された現在位置情報に基づいて前記目的地に到着する到着時刻と、前記混雑情報を生成した車両または前記目的地に向かう車両に乗換えて前記目的地に到着する場合の乗換到着時刻と、の時間差を算出する到着時間差算出手段を備え、
前記表示手段は、前記時間差を表示することを特徴とする請求項２１から請求項２４に記載の携帯端末。
【請求項２６】
前記目的地指示手段は、チケット情報を読取るチケット情報読取手段を含み、前記チケット情報読取手段により読取ったチケット情報に基づいて目的地を指示することを特徴とする請求項２１から請求項２５の何れか１項に記載の携帯端末。
【請求項２７】
前記チケット情報読取手段は、チケットに表示された降車ステーション、路線名、車両番号、及び座席番号の少なくとも１つを読取ることを特徴とする請求項２６に記載の携帯端末。
【請求項２８】
可視光通信手段と、
前記可視光通信手段により、可視光を発生する光源から携帯端末に現在位置情報を提供する現在位置情報提供手段と、
前記携帯端末において、混雑情報を生成するために用いる、前記現在位置情報と、目的地との間にあるステーションから前記ステーション及び前記目的地に向かう車両の少なくとも一方の乗客数情報を前記可視光通信手段により提供する乗客数情報提供手段と、
を備えたことを特徴とする交通案内情報処理装置。
【請求項２９】
前記請求項２１から請求項２７の何れか１項に記載の携帯端末と、
前記請求項２８に記載の交通案内情報処理装置と、
を備えたことを特徴とする交通案内システム。
【請求項３０】
現在位置情報取得手段が可視光通信手段により、可視光を発生する光源から現在位置情報を取得する現在位置情報取得ステップと、
目的地指示手段により、目的地を指示する目的地指示ステップと、
混雑情報生成手段により、前記現在位置と前記目的地との間にあるステーションから前記ステーション及び前記目的地に向かう車両の少なくとも一方の乗客数情報を受信し、前記乗客数情報に基づいて混雑情報を生成する混雑情報生成ステップと、
表示手段により前記混雑情報を表示する混雑情報表示ステップと、
を有する処理を携帯端末で実行させることを特徴とする交通案内プログラム。
【発明の詳細な説明】
【技術分野】
【０００１】
本発明は、携帯端末、交通案内情報処理装置、交通案内システム、及び交通案内プログラム、特に可視光通信手段により交通案内情報を送受信する携帯端末、交通案内情報処理装置、交通案内システム、及び交通案内プログラムに関する。  
【背景技術】
【０００２】
従来より、鉄道やバス等の交通機関を利用しようとする利用者に対して様々な交通案内情報を提供する技術が知られている。例えば、利用者が所持する携帯端末で駅構内に配設された無線の基地局や、ＧＰＳ（Ｇｌｏｂａｌ  Ｐｏｓｉｔｉｏｎｉｎｇ  Ｓｙｓｔｅｍ）衛星と通信することにより、現在位置、鉄道の運行状況、事故情報、車両の遅延、及び新聞や雑誌の情報等を得たり、利用料金の精算を行なう技術が知られている（例えば、特許文献１参照）。
【０００３】
また、駅構内の主要な分岐点に設置された、複数の駅構内案内情報を常に発信する情報発信装置から利用者の携帯端末に、各利用者に応じた列車発車情報が微弱電波または微弱赤外線のいずれかによって発信される技術が知られている（例えば、特許文献２参照）。
【０００４】
さらに、駅を発車する毎に、列車の各車両に乗車している各乗客が所持している乗車券、定期券等の非接触式カードから降車駅を判断し、各車両の乗客数や次の駅で降車する降車予定数等を次駅の表示板に表示する技術が知られている（例えば、特許文献３参照）。
【特許文献１】特開２００５−２１７５１９号公報
【特許文献２】特開２００４−３５９１５４号公報
【特許文献３】特開２００４−２４３７９１号公報
【発明の開示】
【発明が解決しようとする課題】
【０００５】
しかしながら、上記従来の技術では、利用者の希望に合わせた詳細な交通案内情報を提供することができない場合がある。
【０００６】
例えば、ＧＰＳ通信では、利用者の正確な位置の検出や、ステーション構内や車両内等での現在位置の検出が困難な場合がある。また、特定の限られた場所に設置された情報発信装置を利用する場合では、利用者がそこに行かなくては情報を得ることができない。
【０００７】
利用者の希望する目的地までの最適な経路や、乗換えに関する情報、車両の混雑常用、及び鉄道の運行情報等のより詳細な交通案内情報の提供が困難な場合がある。
【０００８】
本発明は、利用者の希望に合わせた詳細な交通案内情報を提供することができる携帯端末、交通案内情報処理装置、交通案内システム、及び交通案内プログラムを提供することを目的とする。
【課題を解決するための手段】
【０００９】
上記目的を達成するために、請求項１に記載の携帯端末は、可視光通信手段と、前記可視光通信手段により、ステーションに設けられた可視光を発生する光源からステーション内における現在位置情報を取得する現在位置情報取得手段と、目的地を指示する目的地指示手段と、前記現在位置情報と、前記目的地と、に基づいて前記目的地までの案内情報を生成する案内情報生成手段と、前記案内情報を表示する表示手段と、を備えたことを特徴とする。
【００１０】
現在位置情報取得手段は、可視光通信手段により、ステーションに設けられた可視光を発生する光源からステーション内における現在位置情報を取得する。案内情報生成手段は、現在位置情報と、目的地指示手段により指示された目的地と、に基づいて目的地までの案内情報を生成する。表示手段は、案内情報を表示する。
【００１１】
現在位位置情報取得手段は、可視光通信手段によりステーション内における現在位置情報を取得することができるので、より正確な現在位置情報を取得することができ、当該現在位置と、目的地と、に基づいて案内情報生成手段が目的地までの案内情報を生成するため、利用者の希望に合わせた詳細な交通案内情報を提供することができる。
【００１２】
請求項２に記載の携帯端末は、請求項１に記載の携帯端末において、前記案内情報生成手段は、交通案内情報処理装置から前記可視光通信手段により受信した前記ステーションに関する情報を用いて案内情報を生成することを特徴とする。
【００１３】
交通案内情報処理装置には、ステーションに関する情報が格納されている。ステーションに関する情報とは、例えば、ステーションの構内図、路線図、時刻表、車両構成図、ステーション内を撮影した画像、及び利用状況等、が挙げられる。案内情報生成手段は、交通案内情報処理装置から可視光通信手段により受信したステーションに関する情報を用いて案内情報を生成する。
【００１４】
これにより、利用者の希望に合わせた詳細な交通案内情報を利用者が利用しやすい形式に生成することができるため、利用者はより利用しやすくなる。
【００１５】
請求項３に記載の携帯端末は、請求項１または請求項２に記載の携帯端末において、前記可視光通信手段は、現在位置を判別するための信号及び前記目的地を送信し、かつ、前記信号により判別した現在位置と前記目的地とに基づいて交通案内情報処理装置で生成された前記目的地までの案内情報を受信し、前記表示手段は、前記案内情報を表示することを特徴とする。
【００１６】
可視光通信手段は現在位置を判別するための信号及び目的地を交通案内情報処理装置に送信し、かつ、当該信号により判別した現在位置と前記目的地とに基づいて交通案内情報処理装置で生成された前記目的地までの案内情報を受信する。表示手段は、当該案内情報を表示する。
【００１７】
このように、可視光通信手段が現在位置を判別するための信号及び目的地を送信することにより、交通案内情報処理装置は、当該現在位置を判別するための信号に基づいて現在位置を判別し、判別した現在位置と目的地とに基づいて目的地までの案内情報を生成する。当該案内情報を可視光通信手段で受信し、表示手段にすることができるので、携帯端末で生成した案内情報及び交通案内情報処理装置で生成された案内情報を表示することができ、例えば、複雑な交通案内情報を利用者が希望する場合は、交通案内情報処理装置で生成されたものを受信して表示するようにすることできる。従って、より利用者の希望にあわせた詳細な交通案内情報を速やかに提供することができる。
【００１８】
請求項４に記載の携帯端末は、請求項１から請求項３の何れか１項に記載の携帯端末において、前記現在位置情報取得手段により取得した現在位置情報と前記目的地とが一致した場合に報知する報知手段を備えたことを特徴とする。
【００１９】
現在位置情報取得手段により取得した現在位置情報と目的地とが一致した場合に報知する報知手段をさらに備えることができる。
【００２０】
これにより利用者に目的地に到着したことを報知することができる。
【００２１】
請求項５に記載の携帯端末は、請求項１から請求項４の何れか１項に記載の携帯端末において、前記目的地は、ホーム、乗車位置、及び前記ステーションと異なるステーションの少なくとも１つであることを特徴とする。
【００２２】
目的地は、ホーム、乗車位置、及び前記ステーションと異なるステーションの少なくとも１つとすることができる。
【００２３】
請求項６に記載の携帯端末は、請求項１から請求項５の何れか１項に記載の携帯端末において、前記目的地指示手段は、チケット情報を読取るチケット情報読取手段を含み、前記チケット情報読取手段により読取ったチケット情報に基づいて目的地を指示することを特徴とする。
【００２４】
目的地指示手段は、チケット情報読取手段を含み、読取ったチケット情報に基づいて目的地を指示する。これにより、目的地の指示が容易に行えるようになる。
【００２５】
請求項７に記載の携帯端末は、請求項６に記載の携帯端末において、前記チケット情報読取手段は、チケットに表示された降車ステーション、路線名、車両番号、及び座席番号の少なくとも１つを読取り、前記目的地指示手段は、乗車位置を目的地として指示することを特徴とする。
【００２６】
切符チケット読取手段は、チケットに表示された降車ステーション、路線名、車両番号、及び座席番号の少なくとも１つを読取ることができる。目的地指示手段は、乗車位置を目的地として指示する。これにより、利用者が特に、乗車位置までの案内を希望する場合、詳細な交通案内情報を提供することができる。
【００２７】
請求項８に記載の携帯端末は、請求項１から請求項７の何れか１項に記載の携帯端末において、前記目的地までの経路の条件を設定する条件設定手段を備え、前記案内情報生成手段は、前記経路の条件に従って案内情報を生成することを特徴とする。
【００２８】
条件設定手段は、目的までの経路の条件を設定する。案内情報生成手段は当該経路の条件に従って案内情報を生成する。これにより、案内情報生成手段は、利用者の希望の条件に合わせた経路を生成することができる。
【００２９】
請求項９に記載の携帯端末は、請求項１から請求項８の何れか１項に記載の携帯端末において、前記現在位置情報取得手段は、車両に設けられた可視光を発生する光源から現在位置情報を取得することを特徴とする。
【００３０】
現在位置情報取得手段は、車両に設けられた可視光を発生する光源から現在位置を取得することができる。これにより車両内においても現在位置情報を取得することができるので、利用者が車両に乗車中であっても位置情報を取得することができ、従って、より正確な現在位置を取得することが出来る。
【００３１】
請求項１０に記載の携帯端末は、請求項１から請求項９の何れか１項に記載の携帯端末において、前記可視光通信手段により、車両に設けられた可視光を発生する光源から前記車両の行き先に関する運行情報を取得する運行情報取得手段を備えたことを特徴とする。
【００３２】
運行情報取得手段は、可視光通信手段により、車両に設けられた可視光を発生する光源から車両の行き先に関する運行情報を取得することができる。これにより、利用者は運行情報を車両から取得することが出来るので、例えば、同一の路線であって終着ステーションが異なる車両や、終着駅が同一であって経路が異なる車両等の判別をすることができる。
【００３３】
請求項１１に記載の携帯端末は、請求項１から請求項１０の何れか１項に記載の携帯端末において、ＧＰＳ受信手段と、前記ＧＰＳ受信手段により受信した現在位置から前記ステーションまでの経路を表す経路情報を生成する経路生成手段と、を備えたことを特徴とする。
【００３４】
ＧＰＳ手段と、経路生成手段をさらに備え、経路生成手段はＧＰＳ手段により受信した現在位置からステーションまでの経路を表す経路情報を生成する。これにより、例えば、駅構外においてはＧＰＳにより現在位置を取得することができる。
【００３５】
請求項１２に記載の携帯端末は、請求項１１に記載の携帯端末において、前記ＧＰＳ受信手段により受信した現在位置が前記ステーションから所定の範囲内である場合は、前記ＧＰＳ受信手段を前記可視光通信手段に切替える通信切替手段を備えたことを特徴とする。
【００３６】
通信切替手段は、ＧＰＳ受信手段により受信した現在位置がステーションから所定の範囲内である場合は、ＧＰＳ受信手段を前記可視光通信手段に切替える。これにより、駅付近に近づいた場合は可視光通信手段により、利用者に対してより詳細な交通案内情報を提供することが出来る。
【００３７】
請求項１３に記載の携帯端末は、請求項１２に記載の携帯端末において、前記通信切替手段により前記可視光通信手段に切替えられた場合は、前記目的地を前記ステーションの改札口とし、前記現在位置情報取得手段は、前記ステーションの改札口に設けられた可視光を発生する光源から現在位置情報を取得することを特徴とする。
【００３８】
現在位置情報取得手段は、前記通信切替手段により可視光通信手段に切替えられた場合は、目的地であるステーションの改札口に設けられた可視光を発生する光源から現在位置情報を取得する。これにより、利用者にステーションの改札口までの詳細な交通案内情報を提供することが出来る。
【００３９】
請求項１４に記載の携帯端末は、請求項１から請求項１３に記載の携帯端末において、  前記ステーションは、鉄道のステーション及びバスのステーションの少なくとも一方であることを特徴とする。
【００４０】
ステーションは、鉄道のステーション及びバスのステーションの少なくとも一方とすることができる。
【００４１】
請求項１５に記載の交通案内情報処理装置は、可視光通信手段と、前記可視光通信手段により、ステーションに設けられた可視光を発生する光源から携帯端末に現在位置情報を提供する現在位置情報提供手段と、前記携帯端末において、前記現在位置情報と、目的地と、に基づいて前記目的地までの案内情報を生成するために用いる前記ステーションに関する情報を前記可視光通信手段により提供するステーション情報提供手段と、を備えたことを特徴とする。
【００４２】
現在位置情報提供手段は、可視光通信手段により、ステーションに設けられた可視光を発生する光源から携帯端末に現在位置情報を提供する。ステーション情報提供手段は、携帯端末において、現在位置情報と、目的地と、に基づいて目的地までの案内情報を生成するために用いるステーションに関する情報を可視光通信手段により提供する。
【００４３】
これにより、携帯端末では、現在位置情報を取得することが出来、さらに、現在位置と目的地とに基づいて目的地までの案内情報を生成するために用いるステーションに関する情報を取得することができる。したがって、携帯端末を利用する利用者の希望に合わせた詳細な交通案内情報を提供することが出来る。
【００４４】
請求項１６に記載の交通案内情報処理装置は、請求項１５に記載の交通案内情報処理装置において、前記可視光通信手段により携帯端末から送信された現在位置を判別するための信号と、目的地と、を受信する受信手段と、前記信号に基づいて前記携帯端末の現在位置を判別する現在位置判別手段と、前記目的地と、前記現在位置と、に基づいて前記目的地までの案内情報を生成し、前記可視光通信手段により前記携帯端末に提供する交通案内情報提供手段と、を備えたことを特徴とする。
【００４５】
受信手段は、可視光通信手段により携帯端末から送信された現在位置を判別するための信号と、目的地と、を受信する。現在位置判別手段は、当該信号に基づいて携帯端末の現在位置を判別する。交通案内情報提供手段は、目的地と、現在位置と、に基づいて目的地までの案内情報を生成し、可視光通信手段により携帯端末に提供する。
【００４６】
これにより、携帯端末では、携帯端末で生成した案内情報及び交通案内情報処理装置で生成された案内情報を表示することができるので、より利用者の希望にあわせた詳細な交通案内情報を速やかに提供することができる。
【００４７】
請求項１７に記載の交通案内システムは、前記請求項１から請求項１４の何れか１項に記載の携帯端末と、前記請求項１５または請求項１６に記載の交通案内情報処理装置と、を備えたことを特徴とする。
【００４８】
請求項１８に記載の交通案内プログラムは、現在位置情報取得手段が可視光通信手段により、ステーションに設けられた可視光を発生する光源からステーション内における現在位置情報を取得する現在位置情報取得ステップと、目的地指示手段により、目的地を指示する目的地指示ステップと、案内情報生成手段により、前記現在位置情報と、前記目的地とに基づいて前記目的地までの案内情報を生成する案内情報生成ステップと、表示手段により前記案内情報を表示する案内情報表示ステップと、を有する処理を携帯端末で実行させることを特徴とする。
【００４９】
請求項１９に記載の交通案内プログラムは、請求項１８に記載の交通案内プログラムにおいて、前記案内情報生成ステップは、交通案内情報処理装置から前記可視光通信手段により受信した前記ステーションに関する情報を処理して案内情報を生成するステップであることを特徴とする。
【００５０】
請求項２０に記載の交通案内プログラムは、請求項１８または請求項１９に記載の交通案内プログラムにおいて、可視光通信手段により、現在位置を判別するための信号及び前記目的地を送信する送信ステップと、前記信号により判別した現在位置と前記目的地とに基づいて交通案内情報処理装置で生成された前記目的地までの案内情報を受信する案内情報受信ステップと、前記表示手段により、前記案内情報を表示する案内情報表示ステップと、を有することを特徴とする。
【００５１】
請求項２１に記載の携帯端末は、可視光通信手段と、前記可視光通信手段により、可視光を発生する光源から現在位置情報を取得する現在位置情報取得手段と、目的地を指示する目的地指示手段と、前記現在位置と前記目的地との間にあるステーションから前記ステーション及び前記目的地に向かう車両の少なくとも一方の乗客数情報を受信し、前記乗客数情報に基づいて混雑情報を生成する混雑情報生成手段と、前記混雑情報を表示する表示手段と、を備えたことを特徴とする。
【００５２】
現在位置情報取得手段は、可視光通信手段により、可視光を発生する光源から現在位置情報を取得する。混雑情報生成手段は、現在位置と目的地指示手段により指示された目的地との間にあるステーションからステーション及び目的地に向かう車両の少なくとも一方の乗客数情報を受信し、乗客数情報に基づいて混雑情報を生成する。表示手段は、混雑情報を表示する。
【００５３】
現在位位置情報取得手段は、可視光通信手段によりステーション内における現在位置情報を取得することができるので、より正確な現在位置情報を取得することができ、当該現在位置と、目的地との間にあるステーションから受信したステーション及び目的地に向かう車両の少なくとも一方の乗客数情報に基づいて混雑情報を生成するため、利用者が混雑情報の提供を希望する場合に詳細な情報を提供することができる。
【００５４】
請求項２２に記載の携帯端末は、請求項２１に記載の携帯端末において、前記乗客数情報は前記ステーションのホーム及び前記目的地に向かう車両の内部の少なくとも一方を撮影して得られた画像に基づく情報であることを特徴とする。
【００５５】
乗客数情報は、ステーションのホーム及び目的地に向かう車両の内部の少なくとも一方を撮影して得られた画像に基づく情報とすることが出来る。
【００５６】
請求項２３に記載の携帯端末は、請求項２１または請求項２２に記載の携帯端末において、前記現在位置情報取得手段は、車両に設けられた可視光を発生する光源から現在位置情報を取得することを特徴とする。
【００５７】
現在位置情報取得手段は、車両に設けられた可視光を発生する光源から現在位置を取得することができる。これにより、車両内において現在位置情報を取得し、混雑情報を生成することができるので、利用者が車両に乗車中に例えば、後発の車両の混雑情報を取得することができる。従って、利用者は混雑情報に基づいて後発の車両に乗換えるか否かを判断することができる。
【００５８】
請求項２４に記載の携帯端末は、請求項２１から請求項２３の何れか１項に記載の携帯端末において、前記混雑情報生成手段は、前記ステーションを始発駅とする車両に関する混雑情報を生成することを特徴とする。
【００５９】
ステーションを始発駅とする車両の方が、当該ステーションを通過駅とする車両よりもより混雑情報を正確に得ることができるため、混雑情報生成手段は、ステーションを始発駅とする車両に関する混雑情報を生成することが好ましい。
【００６０】
請求項２５に記載の携帯端末は、請求項２１から請求項２４に記載の携帯端末において、前記現在位置情報取得手段により取得された現在位置情報に基づいて前記目的地に到着する到着時刻と、前記混雑情報を生成した車両に乗換えて前記目的地に到着する場合の乗換到着時刻と、の時間差を算出する到着時間差算出手段を備え、前記表示手段は、前記時間差を表示することを特徴とする。
【００６１】
到着時間差算出手段は、現在位置情報取得手段により取得された現在位置情報に基づいて目的地に到着する到着時刻と、混雑情報を生成した車両に乗換えて目的地に到着する場合の乗換到着時刻と、の時間差を算出する。表示手段は、当該時間差を算出する。
【００６２】
これにより、利用者は、混雑情報を生成した車両に乗換えるか否かを時間差に基づいて判断することが出来る。
【００６３】
請求項２６に記載の携帯端末は、請求項２１から請求項２５の何れか１項に記載の携帯端末において、前記目的地指示手段は、チケット情報を読取るチケット情報読取手段を含み、前記チケット情報読取手段により読取ったチケット情報に基づいて目的地を指示することを特徴とする。
【００６４】
目的地指示手段は、チケット情報読取手段を含み、読取ったチケット情報に基づいて目的地を指示する。これにより、目的地の指示が容易に行えるようになる。
【００６５】
請求項２７に記載の携帯端末は、請求項２６に記載の携帯端末において、前記チケット情報読取手段は、チケットに表示された降車ステーション、路線名、車両番号、及び座席番号の少なくとも１つを読取ることを特徴とする。
【００６６】
チケット情報読取手段は、チケットに表示された降車ステーション、路線名、車両番号、及び座席番号の少なくとも１つを読取ることができる。
【００６７】
請求項２８に記載の交通案内情報処理装置は、可視光通信手段と、前記可視光通信手段により、可視光を発生する光源から携帯端末に現在位置情報を提供する現在位置情報提供手段と、前記携帯端末において、混雑情報を生成するために用いる、前記現在位置情報と、目的地との間にあるステーションから前記ステーション及び前記目的地に向かう車両の少なくとも一方の乗客数情報を前記可視光通信手段により提供する乗客数情報提供手段と、を備えたことを特徴とする。
【００６８】
現在位置情報提供手段は、可視光通信手段により、可視光を発生する光源から携帯端末に現在位置情報を提供する。乗客数情報提供手段は、携帯端末において、混雑情報を生成するために用いる、現在位置情報と目的地との間にあるステーションからステーション及び前記目的地に向かう車両の少なくとも一方の乗客数情報を可視光通信手段により提供する。
【００６９】
これにより、携帯端末では、現在位置と目的地との間にあるステーションからステーション及び前記目的地に向かう車両の少なくとも一方の乗客数情報を取得することが出来、当該乗客数情報に基づいて混雑情報を生成することができる。したがって、携帯端末を利用する利用者が混雑情報の提供を希望する場合に詳細な情報を提供することができる。
【００７０】
請求項２９に記載の交通案内システムは、前記請求項２１から請求項２７の何れか１項に記載の携帯端末と、前記請求項２８に記載の交通案内情報処理装置と、を備えたことを特徴とする。
【００７１】
請求項３０に記載の交通案内プログラムは、現在位置情報取得手段が可視光通信手段により、可視光を発生する光源から現在位置情報を取得する現在位置情報取得ステップと、目的地指示手段により、目的地を指示する目的地指示ステップと、混雑情報生成手段により、前記現在位置と前記目的地との間にあるステーションから前記ステーション及び前記目的地に向かう車両の少なくとも一方の乗客数情報を受信し、前記乗客数情報に基づいて混雑情報を生成する混雑情報生成ステップと、表示手段により前記混雑情報を表示する混雑情報表示ステップと、を有する処理を携帯端末で実行させることを特徴とする。
【発明の効果】
【００７２】
以上説明したように、請求項１〜請求項３０に記載の本発明によれば、利用者の希望に合わせた詳細な交通案内情報を提供することができる、という効果が得られる。
【発明を実施するための最良の形態】
【００７３】
［第１の実施の形態］
以下、図面を参照して本発明の実施の形態を詳細に説明する。
【００７４】
本実施の形態に係る交通案内システム１の概略構成の一例を図１に示す。なお、本実施の形態の交通案内システム１は、鉄道を利用する利用者が目的地までの案内を希望する場合に目的地までの希望に合わせて詳細な交通案内情報を提供するものであるがこれに限らず、バス等を利用する利用者に対しても適応できる。
【００７５】
本実施の形態の交通案内システム１は、携帯端末１０、サーバ装置２０、構内／バスターミナル撮影カメラ２７、送受信機３６、及び車両（車両内部に設置された送受信機）３８を備えて構成されている。
【００７６】
サーバ装置２０は、演算処理部２１、データベース２２Ａ〜Ｇ、インターネット接続部２４、画像補間機構部２６、及び構内／バスターミナルネットワーク制御部２８を含んで構成されている。演算処理部２１は、具体的には、ＣＰＵ（図示省略）、ＲＯＭ（図示省略）、ＲＡＭ（図示省略）、ＨＤＤ（図示省略）等を用いて構成されている。この場合、後述する処理フローのプログラムを予めＲＯＭに記憶しておき、ＣＰＵにより、当該プログラムが読み込まれて実行されることにより各種演算処理が実行される。なお、当該プログラムは、ＣＤ−ＲＯＭ（図示省略）や、ＤＶＤ−ＲＯＭ（図示省略）等の記録媒体に記録しておき、ＨＤＤ等にインストールし、ＣＰＵにより、当該プログラムが読み込まれて実行されるようにしてもよい。なお、本実施の形態では、演算処理部２１は、携帯端末１０から可視光通信により送られてきた可視光通信用信号からデータ信号を復調し、かつ、送信するデータ信号を送受信機３６のＬＥＤ（詳細後述）用の点灯制御信号に重畳させ可視光通信用信号を生成する。
【００７７】
路線データベース２２Ａには、鉄道路線に関するデータが格納されている。なお、本実施の形態では、サーバ装置２０が設置されている駅を含む路線だけではなく、地下鉄等も含む全鉄道の路線に関するデータが格納されているものとしているが、これに限らない。例えば、バス等、他の交通機関の路線に関するデータも格納するようにしても良い。
【００７８】
時刻表データベース２２Ｂには、時刻表に関するデータが格納されている。なお、本実施の形態では、サーバ装置２０が設置されている駅を発着する鉄道に関する時刻表が格納されているものとしているが、これに限らない。例えば、路線データベース２２Ａに格納されている全路線の時刻表に関するデータを格納するようにしてもよい。
【００７９】
構内図データベース２２Ｃには、サーバ装置２０が設置されている駅の構内図に関するデータ、例えば地図等が格納されている。
【００８０】
車両構成図データベース２２Ｄには、車両の構成図に関するデータが格納されている。なお、本実施の形態では、サーバ装置２０が設置されている駅を発着する鉄道車両の構成図が格納されているものとしているが、これに限らない。例えば、路線データベース２２Ａに格納されている全路線の鉄道車両に関するデータを格納するようにしてもよい。
【００８１】
画像データベース２２Ｅには、ｎ個の構内／バスターミナル撮影カメラ２７１〜ｎの個々で撮影された画像データが画像補間機構部２６を介して格納されている。
【００８２】
乗車状況データベース２２Ｆには、車両に乗車している乗客の状況に関するデータが格納されている。なお、本実施の形態では、画像データベース２２Ｅに格納されている画像を演算処理部２１で演算加工して得られた乗客数に関する情報（詳細後述）が格納されているが、これに限らない。例えば、ホームにいる乗客数に関するデータを格納するようにしてもよい。
【００８３】
位置情報データベース２２Ｇは、ｍ個の送受信機３６１〜ｍの個々の位置を表す情報データが格納されている。なお、本実施の形態では、携帯端末１０から信号が送信機３６を介して送られてきた場合、送受信機３６から送られてきた信号に含まれる各送受信機固有のデータを当該情報データと比較参照することにより、データが送られてきた送受信機３６の位置を特定し、特定した位置を携帯端末１０（利用者）の現在位置としている。
【００８４】
インターネット接続部２４は、外部のインターネット回線と接続するためのものである。なお、本実施の形態では、公衆回線３２、プロバイダ３１、及びインターネット回線３０を介して携帯端末１０と接続可能に構成されている。構内／バスターミナルネットワーク制御部２８は、サーバ装置２０と、送受信機３６及び構内−車両間通信制御部３７との、回線３４による接続を制御する。
【００８５】
なお本実施の形態では、各駅毎にサーバ装置２０を設けているがこれに限らず、複数の駅に対して１つのサーバ装置２０を設けるようにしても良い。
【００８６】
構内／バスターミナル撮影カメラ２７１〜ｎは本実施の形態では、駅構内に駅のホームを撮影可能に設置された撮影カメラであり、ホームを発着する車両に乗降する乗客を撮影するものである。具体的な一例としては、車掌用のカメラが挙げられる。なお、これに限らず、鉄道の車両内部を撮影する撮影カメラ等であってもかまわない。
【００８７】
次に、本実施の形態の携帯端末１０について図２を参照して説明する。図２は、本実施の形態の携帯端末１０の概略構成の一例の構成図である。携帯端末１０は、利用者が希望に合わせた詳細な交通案内情報を得るために、利用するものであり、具体的な一例としては、携帯電話等のモバイル端末が挙げられる。
【００８８】
本実施の形態の携帯端末１０は、ＣＰＵ４０、ＲＯＭ４１、ＲＡＭ４２、ＨＤＤ４３、撮像装置４４、指示部４５、可視光通信部４６、ＧＰＳ通信部４７、通信切替部４８、公衆回線接続部４９、表示部５０、及び報知部５１を備えて構成されている。ＣＰＵ４０は携帯端末１０全体の制御を行なうものであり、後述する各種処理の処理プログラムが実行される。ＲＡＭ４２は、ＣＰＵ４０による各種処理プログラムの実行時におけるワークエリア等として用いられる。ＲＯＭ４１は、各種処理プログラムやパラメータ等が記憶されている。なお、後述する各種処理プログラムは、公衆回線接続部４９によりインターネット等に接続し、ダウンロードしたプログラムをＨＤＤ４３に記憶し、記憶したプログラムをＣＰＵ４０で読出して実行するようにしても良い。ＨＤＤ４３は利用者の目的地、取得した各種データ、及び生成した案内図等を記憶するためのものである。なお、本実施の形態では、少なくとも、目的地、サーバ装置２０から取得した各種データ、及び案内図等は利用者が目的地に到着し、本処理を終了するまではＨＤＤ４３に記憶しておくものとする。記憶しておくことにより、データの再加工等が速やかに行えるようになるため、好ましい。
【００８９】
撮像装置４４は、切符情報を読取るためのものであり、本実施の形態では、一例として、携帯電話に備えられたカメラとしている。指示部４５は、利用者が交通案内情報に関する指示等を行なうためのものである。可視光通信部４６は可視光通信を行なうためのものである（詳細後述）。ＧＰＳ通信部４７は、ＧＰＳ衛星３９からの信号を受信して、携帯端末１０（利用者）の現在位置を知るためのものである。通信機切替部４８は、可視光通信部４６とＧＰＳ通信部４７とを切替るものである（詳細後述）。公衆回線接続部４９は、公衆回線３２等を介してサーバ装置２０と接続可能にするためのものである。
【００９０】
表示部５０は、交通案内情報等を表示するためのものであり、具体的な一例としては液晶ディスプレイ等が挙げられる。報知部５１は、情報を報知するためのものであり、本実施の形態では、目的地に到着したことを利用者に対して報知している。具体的な一例としては、スピーカや、液晶ディスプレイ（表示部５０と兼用可）等が挙げられる。また、形態のバイブ機能であっても良い。
【００９１】
なお、ＣＰＵ４０、ＲＯＭ４１、ＲＡＭ４２、ＨＤＤ４３、撮像装置４４、指示部４５、可視光通信部４６、ＧＰＳ通信部４７、通信切替部４８、公衆回線接続部４９、表示部５０、及び報知部５１は、コントロールバスやデータバス等のバス５２を介して、互いに情報の授受が可能に接続されている。
【００９２】
さらに、図３を参照して本実施の形態の携帯端末１０について詳細に説明する。図３は、本実施の形態の携帯端末１０の概略構成の一例を示す機能ブロック図である。本実施の形態の携帯端末１０は、制御部５５、現在位置情報取得部５６、目的地指示部５７、案内情報生成部５８、表示部５０、報知部５１、切符情報読取部４４、条件設定部５９、運行情報取得部６０、可視光通信部４６、ＧＰＳ通信部４７、通信切替部４８、及び経路生成部６１を備えて構成されている。
【００９３】
制御部５５はＣＰＵ４０に対応しており携帯端末１０全体の制御、上記各手段の制御を行なうものである。
【００９４】
可視光通信手段４６は、可視光通信制御部６４、データ抽出部６５、可視光通信用信号生成部６６、受光部６７、発光制御部６８、及びＬＥＤ（Ｌｉｇｈｔ  Ｅｍｉｔｔｉｎｇ  Ｄｅｖｉｃｅ）６９を含んで構成されている。可視光通信制御部６４は可視光通信に関する制御を行なうものであり、当該制御により、可視光通信用信号生成部６６は、送信しようとするデータ信号をＬＥＤ６９の点灯制御信号に重畳させ可視光通信用信号を生成する。発光制御部６８は生成された可視光通信用信号に基づいてＬＥＤ６９の点灯制御を行なう。ＬＥＤ６９が点灯し可視光が出力されることにより可視光通信による送信が可能になる。また、受光部６７は、可視光通信用信号を受光（受信）する。なお、本実施の形態では、受光部６７として撮像装置４４を用いているが、これに限らない。データ抽出部６５は、受光部６７で受光（受信）した可視光通信用信号からデータ信号を復調することによりデータを抽出する。
【００９５】
現在位置情報取得部５６は、送受信機３６や車両３８に設置された可視光通信部に含まれるＬＥＤ（詳細後述）から可視光通信により駅構内における現在位置を取得する。目的地指示部５７は、利用者が目的地を指示入力するものである。本実施の形態では、目的地とは具体的には、ホーム、鉄道の乗車位置（乗車口）、及び降車駅等であるがこれに限らず、例えば、車両の座席（指定席）等であっても良い。案内情報生成部５８は、現在位置から目的地までの案内情報を生成するためのものである。本実施の形態では、案内情報としては、一例として、現在位置から目的地までの経路を示す地図情報等が挙げられるがこれに限らない（詳細後述）。
【００９６】
切符情報読取部４４は、撮像装置４４に対応しているがこれに限らず、例えば、切符に記載されているバーコードを読取るためのバーコードリーダー等であっても良い。なお、本実施の形態では、切符情報読取部４４は、鉄道の切符に記載された情報を読取っているが、これに限らず各種チケット類の情報を読取っても良い。また、切符情報としては、具体的には、降車駅、鉄道名、車両番号、及び座席番号等であるがこれに限らない。
【００９７】
条件設定部５９は、現在位置から目的地までの経路（案内情報）を生成する際の条件を設定するためのものであり、具体的な一例としては、バリアフリー経路を優先選択する条件等を設定することができるものである。
【００９８】
運行情報取得部６０は、本実施の形態では、列車の運行情報を取得するためのものであり、運行情報とは、例えば、列車の経由駅や到着駅等が挙げられるがこれに限らない。また、本実施の形態では、列車の運行情報を取得しているが、バス等の他の交通機関の運行情報を取得するようにしても良い。
【００９９】
経路生成部６１は、ＧＰＳ通信部４７で受信した現在位置から駅までの経路を生成するものであり、本実施の形態では、地図ソフトを使用して生成するが、これに限らない。
【０１００】
次に、送受信機３６について図４を参照して詳細に説明する。図４は本実施の形態の送受信機３６の概略構成の一例を示す機能ブロック図である。なお、本実施の形態の送受信機３６は可視光通信を行なうために、駅構内の照明や、案内板等に設置されている。送受信機３６は、可視光通信部７０と、送受信部７５と、を備えて構成されている。可視光通信部７０は、可視光通信制御部７１、受光部７２、発光制御部７３、及びＬＥＤ７４を含んで構成されている。可視光通信制御部７１は可視光通信に関する制御を行なうものであり、当該制御により、発光制御部７３はサーバ装置２０から送られてきた可視光通信用信号に基づいてＬＥＤランプ７４の点灯制御を行なう。ＬＥＤ７４が点灯し可視光が出力されることにより可視光通信による送信が可能になる。また、受光部７２は、可視光通信用信号（各種要求を表す信号）を受光（受信）する。本実施の形態では、可視光通信制御部７１は受信した可視光通信用信号を送受信部７５を介してサーバ装置２０に送信する。なお、これに限らず、送受信機３６で可視光通信用信号からデータ信号を復調し、復調したデータ信号をサーバ装置２０に送信するようにしても良い。
【０１０１】
なお、送受信機３６は、駅構内の足元（床部）または天井に設置されていることが好ましい。この場合、例えば、携帯電話の外側や内側に設置されているカメラで受信しやすくなるため、利用者による可視光通信が行ないやすくなる。
【０１０２】
次に、車両３８について図５を参照して詳細に説明する。図５は本実施の形態の車両３８の概略構成の一例を示す機能ブロック図である。本実施の形態の車両３８は、可視光通信部８０、送受信部８８、及びデータベース８７を備えて構成されている。可視光通信部８０は、可視光通信制御部８１、受光部８２、発光制御部８３、ＬＥＤ８４、データ抽出部８５、及び可視光通信用信号生成部８９を含んで構成されている。
【０１０３】
可視光通信制御部８１の制御により、可視光通信用信号生成部８６は、送信しようとするデータ信号をＬＥＤ８４の点灯制御信号に重畳させ可視光通信用信号を生成する。発光制御部８３は生成された可視光通信用信号に基づいてＬＥＤ８４の点灯制御を行なう。ＬＥＤ８４が点灯し可視光が出力されることにより可視光通信による送信が可能になる。また、受光部８２は、可視光通信用信号を受光（受信）する。データ抽出部８５は、受光部８２で受光（受信）した可視光通信用信号からデータ信号を復調することによりデータを抽出する。なお、本実施の形態の可視光通信部８０は可視光通信を行なうために、車両内部の照明や案内表示板等、車両に設けられた照明部に設置されている。送受信部８８は、可視光通信用信号や各種データ信号等の送受信をサーバ装置２０と行なうためのものである。
【０１０４】
データベース８７には、車両３８の運行状況等を表すデータが格納されている。
【０１０５】
なお、本実施の形態では、送受信機３６及び構内／ステップターミナルネットワーク制御部２８が交通案内情報処理装置の可視光通信手段に対応し、演算処理部２１及び位置情報データベース２２Ｇが現在位置情報提供手段に対応し、演算処理部２１及びデータベース２２がステーション情報提供手段に対応し、演算処理部２１が受信手段、現在位置判別手段、及び交通案内情報提供手段に対応している。
【０１０６】
次に、本実施の形態の携帯端末１０で実行される交通案内処理について図６〜図１４を参照して詳細に説明する。
【０１０７】
まず、図６を参照して駅構外から駅までの交通案内処理について詳細に説明する。図６は、本実施の形態の携帯端末１０で実行される駅構外から駅までの交通案内処理の一例を示すフローチャートである。図６に示す処理は携帯端末１０に電源が投入されると、ＣＰＵ４０により実行される。
【０１０８】
まずステップ１００では、交通案内モードが選択されたか否かを判断する。選択がされるまでは否定されて、待機状態になる。一方、利用者が交通案内モードを選択した場合は肯定されて、ステップ１０２へ進む。さらに、本処理では利用者が駅構外から駅までの交通案内を希望するので、ステップ１０２では、構外案内モードを設定する。
【０１０９】
次のステップ１０４では、ＧＰＳにより現在位置を取得するか否か判断する。指示部４５により利用者がＧＰＳを使用しない旨の指示があった場合は否定されて、ステップ１０６へ進み、ステップ１０６では、利用者が指示部４５により指示入力した現在位置を読取って、ステップ１１２へ進む。一方、ＧＰＳにより現在位置を取得する場合は肯定されて、ステップ１０８へ進む。ステップ１０８では、ＧＰＳ衛星からの信号をＧＰＳ通信部４７で受信可能か否か判断する。受信できない場合は否定されて、ステップ１０４に戻る。一方、受信可能な場合は肯定されて、ステップ１１０へ進む。ステップ１１０では、ＧＰＳ信号を受信して、現在位置（緯度及び経度）情報を取得する。
【０１１０】
次のステップ１１２では、公衆回線接続部４９により、インターネットに接続し、次のステップ１１４では、経路生成部６１で現在位置から最寄りの駅までの経路を生成する。
【０１１１】
次のステップ１１６では、生成した経路の所要時間、即ち現在位置から駅まで利用者が移動するのにかかる時間を算出し、次のステップ１１８では表示部５０に経路及び所要時間を表示する。
【０１１２】
次のステップ１２０では、駅を切換えるか否か判断する。利用者が表示された最寄り駅以外の駅、例えば、他の交通機関の駅等を希望する場合は指示部４５により指示入力をうけて肯定されて、ステップ１２２へ進む。ステップ１２２では、次候補の駅を表示部５０に表示する。当該表示により利用者は指示部４５により希望する駅を指示入力する。次のステップ１２４では、当該指示入力を読取った後、ステップ１１４に戻る。なお、本実施の形態では、表示された次候補の駅の中から利用者が選択指示入力するようにしているが、これに限らず、利用者が駅名を指示入力し、当該駅に対して経路を生成するようにしても良い。一方、ステップ１２０で否定された場合は、ステップ１２６へ進む。
【０１１３】
ステップ１２６では、交通案内処理を終了するか否か判断する。本処理を終了する指示を指示部４５から受けた場合は肯定されて本処理を終了する。一方、否定されるとステップ１２８へ進む。
【０１１４】
ステップ１２８では、目的地である駅を検出したか否か判断する。未だ駅を検出していない場合は否定されて、待機状態になる。一方、駅を検出した場合は肯定されて、ステップ１３０へ進む。なお本実施の形態では、駅の検出は、利用者の現在位置が駅から予め定めた所定の範囲内になった場合に駅を検出したものとしているが、これに限らない。
【０１１５】
ステップ１３０では、改札口検出モードに切替える。改札口検出モードとは可視光通信部４６により駅の改札口を検出するモードである。本実施の形態では、通信切替部４８が通信部をＧＰＳ通信部４７から可視光通信部４６に切替える。
【０１１６】
次のステップ１３２では、改札口を検出したか否か判断する。検出されるまでは否定されて待機状態になる。検出した場合は肯定されて、ステップ１３４へ進む。本実施の形態では、改札口の検出は、改札口付近に設けられた照明や案内表示板と可視光通信を行ない、現在位置を取得し、取得した現在位置により改札口を検出している。そして、次のステップ１３４では改札口に到着したことを報知部５１により利用者に報知し、次のステップ１３６では、交通案内処理を終了するか否か判断する。肯定されると本処理を終了する。一方、否定された場合は、図７に示すステップ２０８の処理（駅構内の交通案内処理、詳細後述）に進む。
【０１１７】
このように駅構外の交通案内を行なう場合は、駅付近まではＧＰＳ通信を使用して経路生成部６１で生成した経路により現在位置から駅までの交通案内を行ない、駅付近に近づくと通信切替部４８により通信部を可視光通信部４６に切替える。可視光通信部４６により改札口付近に設けられた照明等と可視光通信を行なうことにより改札口を検出し、報知部５１により利用者に報知する。これにより、駅構外から駅までの交通案内を希望する利用者に対し、詳細な交通案内情報を提供することが出来る。
【０１１８】
次に、図７〜図１４を参照して駅構内から他の駅（利用者の目的地の駅）までの携帯端末１０における交通案内処理について詳細に説明する。図７は、本実施の形態の携帯端末１０で実行される駅構内から目的地の駅までの交通案内処理の一例を示すフローチャートである。図７に示す処理は携帯端末１０に電源が投入されると、ＣＰＵ４０により実行される。
【０１１９】
まずステップ２００では、交通案内モードが選択されたか否かを判断する。選択がされるまでは否定されて、待機状態になる。一方、利用者が交通案内モードを選択した場合は肯定されて、ステップ２０２へ進む。さらに、本処理では利用者が駅構内から目的地の駅までの交通案内（乗車案内）を希望するので、ステップ２０２では、乗車案内モードを設定する。
【０１２０】
次のステップ２０４では可視光通信モードを設定する。これにより、可視光通信部４６で可視光通信を行なうよう待機状態になる。そして、次のステップ２０６では可視光通信（可視光通信用信号）を検出したか否か判断する。可視光通信用信号が検出されるまで否定されて、待機状態になる。一方、駅構内に設置された送受信機３６からの可視光通信用信号を検出した場合は肯定されステップ２０８へ進む。
【０１２１】
ステップ２０６で肯定された場合及び図６に示す駅構外の交通案内処理のステップ１３６で否定された場合のステップ２０８では案内図生成処理（詳細後述）を実行する。次のステップ２１０では、案内図生成処理により生成された案内図を表示部５０に表示する。
【０１２２】
次のステップ２１２では、移動サポートモードに切替える。本実施の形態では、移動サポートモードとは、利用者が目的地までの移動中に現在位置から目的地までの交通案内を行なうモードである。次のステップ２１４では、移動サポートモード処理（詳細後述）を実行する。当該処理により利用者は目的地（ホームまたは乗車位置）に到着することができる。
【０１２３】
次のステップ２１６では交通案内処理を終了するか否か判断する。終了する場合は肯定されて、本処理を終了する。一方、否定されるとステップ２１８へ進み、車内モードに切替える。本実施の形態では、車内モードとは、利用者が乗車した鉄道の車内において交通案内処理を行なうモードである。次のステップ２２０では、車内モード処理（詳細後述）を実行する。当該処理により利用者は目的地（駅）に到着することができる。そこで、次のステップ２２２では、駅に到着したことを報知部５１により報知した後、本処理を終了する。
【０１２４】
このように、本実施の形態の携帯端末１０では、駅構内から目的地の駅までの交通案内を行う場合は、可視光通信部４６により送受信機３６等によりサーバ装置２０と通信を行うことにより、案内図を作成し、利用者が移動中に現在位置から目的地までの交通案内を行い、鉄道の車内における利用者に対して交通案内を行うことができるので、利用者の希望に合わせた詳細な交通案内情報を提供することができる。
【０１２５】
次に、案内図生成処理（図７のステップ２０８の処理）について図８〜図１０を参照して詳細に説明する。なお、本実施の形態の案内図生成処理には、サーバ装置２０のデータベース２２に格納されている各種データを受信して案内図を生成する場合と、サーバ装置２０がデータベース２２に格納されている各種データにより案内情報を生成し、当該案内情報を受信してこれに基づいて案内図を生成する場合と２通りある。そこで、まず、サーバ装置２０のデータベース２２に格納されている各種データを受信して案内図を生成する場合について図８を参照して詳細に説明する。図８は、本実施の形態の携帯端末１０で実行される案内図生成処理の一例を示すフローチャートである。図８に示す処理は携帯端末１０に電源が投入されると、ＣＰＵ４０により実行される。
【０１２６】
まずステップ３００では、現在位置情報取得部５６が現在位置情報の要求をサーバ装置２０（送受信機３６）に可視光通信により送信し、当該要求に対してサーバ装置２０から送られてきた現在位置情報を次のステップ３０２で受信する。なお、現在位置情報の要求とともに、携帯端末１０のＩＤも送信する。このように、本実施の形態では、携帯端末１０から情報の要求を送信する場合、携帯端末１０のＩＤも送信する。これにより、例えば、複数の利用者に対して、それぞれ異なった情報がサーバ２０から送信されてきた場合でも、送信されてくる情報に当該ＩＤによるマスクをかけることで、携帯端末１０では、必要な情報だけを受け取ることができる。なお、携帯端末１０のＩＤとは、例えば、利用者の名称や携帯端末１０が携帯電話の場合は電話番号等が挙げられる。
【０１２７】
次のステップ３０４では、切符情報の読取りを行なうか否か判断する。切符情報の読取りを行なう場合は肯定されて、ステップ３０６へ進み、ステップ３０６では、切符情報読取部４４で切符情報を読取った後、ステップ３１０へ進む。本実施の形態では、切符情報の画像を読取って得た画像データを解析することにより降車駅、鉄道名、車両番号、及び座席番号等を読取っている。一方、切符情報を読取らない場合は否定されて、ステップ３０８へ進む。ステップ３０８では、利用者が指示部４５により入力した目的地情報を読取った後、ステップ３１０へ進む。
【０１２８】
ステップ３１０では、目的地に対応する路線のデータ及び時刻表データの要求をサーバ装置２０（送受信機３６）に可視光通信により送信し、当該要求に対してサーバ装置２０から送信されてきた路線のデータ及び時刻表データを次のステップ３１２で受信する。
【０１２９】
次のステップ３１４では、受信した路線のデータ及び時刻表データにより利用者が目的地まで利用可能な乗車路線及び時刻表の候補を案内情報生成部５８で生成し、次のステップ３１６では、生成した乗車路線及び時刻表の候補を表示部５０に表示する。これにより利用者は表示された候補から乗車希望路線及び時刻の少なくとも一方を指示部４５により指示入力するので、次のステップ３１８では利用者の選択入力を読取り、さらに次のステップ３２０では読取った乗車路線及び時刻表に対応する駅構内図データ及び車両構成図データの要求を送信する。要求をサーバ装置２０に可視光通信により送信し、当該要求に対してサーバ装置２０から送信されてきた構内図データ及び車両構成図データを次のステップ３２２で受信する。
【０１３０】
次のステップ３２４では、条件設定がされているか否かを判断する。本実施の形態では、一例として、条件設定部５９にバリアフリー経路が設定されているか否かを判断する。設定されている場合は肯定されて、ステップ３２６へ進み、設定に従ってバリアフリー経路の案内図を作成した後、本処理を終了する。一方、設定されていない場合は否定されて、ステップ３２８へ進み、現在地から目的地までの案内図を生成した後、本処理を終了する。
【０１３１】
図９に案内図の一例を示す。図９は具体的な一例として表参道駅において千代田線（現在位置）から銀座線（乗車位置）に乗換える場合の経路の案内図である。なお、案内図はこれに限らず、現在位置から乗車位置までの経路の案内ができるようなものであればどのような表示形式であってもかまわない。
【０１３２】
このように、現在位置情報取得部５６で現在位置を取得し、取得した現在位置と目的値とに基づいてサーバ装置２０から路線データ、時刻表データ、構内図データ、及び車両構成図データを受信することにより、案内情報生成部５８は受信した各データに基づいて案内図を生成し、表示部５０に表示させることができる。
【０１３３】
次に、サーバ装置２０がデータベース２２に格納されている各種データにより案内情報を生成し、当該案内情報を受信してこれに基づいて案内図を生成する場合について図１０を参照して詳細に説明する。図１０は、この場合の本実施の形態の携帯端末１０で実行される案内図生成処理の一例を示すフローチャートである。図１０に示す処理は携帯端末１０に電源が投入されると、ＣＰＵ４０により実行される。
【０１３４】
まずステップ３５０では、現在位置判別信号をサーバ装置２０（送受信機３６）に可視光通信により送信する。サーバ装置２０は、当該現在位置判別信号を受信すると、これにより、信号を送受信した送受信機３６の位置を特定し、特定した位置を携帯端末１０（利用者）の現在位置として判別する。
【０１３５】
次のステップ３５２では、切符情報の読取りを行なうか否か判断する。切符情報の読取りを行なう場合は肯定されて、ステップ３５４へ進み、ステップ３５４では、切符情報読取部４４で切符情報を読取った後、ステップ３５８へ進む。一方、切符情報を読取らない場合は否定されて、ステップ３５６へ進む。ステップ３５６では、利用者が指示部４５により入力した目的地情報を読取った後、ステップ３５８へ進む。
【０１３６】
ステップ３５８では、読取った目的地情報をサーバ装置２０に送信する。サーバ装置２０は、当該目的地情報を受信すると、判別した現在位置と目的値とから利用者が目的地まで利用可能な乗車路線及び時刻表の候補を路線データベース２２Ａ及び時刻表データ２２Ｂを用いて生成し、生成した乗車路線及び時刻表の候補を携帯端末１０に送信する。
【０１３７】
次のステップ３６０では、乗車路線及び時刻表の候補を受信し、さらに次のステップ３６２で表示部５０に表示する。これにより利用者は表示された候補から乗車希望路線及び時刻の少なくとも一方を指示部４５により指示入力するので、次のステップ３６４では利用者の選択入力を読取り、さらに次のステップ３６６では読取った選択入力をサーバ装置２０に送信する。
【０１３８】
さらに次のステップ３６８では、条件設定がされているか否かを判断する。設定されている場合は肯定されて、ステップ３７０へ進み、条件設定をサーバ装置２０に送信した後、ステップ３７２へ進む。一方、設定されていない場合はステップ３７２へ進む。サーバ装置２０は、当該条件設定を受信した場合は条件設定を満たす経路、受信しない場合は所定の条件、例えば、最短距離となるような経路に関する案内情報を生成し、携帯端末１０に送信する。
【０１３９】
次のステップ３７２では、サーバ装置２０から案内情報を受信し、次のステップ３７４では、受信した案内情報に基づいて案内図を生成した後、本処理を終了する。なお、本実施の形態では、受信した案内情報に基づいて、表示部５０に表示させるための案内図、例えば利用者の希望する形式（地図形式、テキスト形式等）で表示させるための案内図を生成するようにしているが、これに限らない。また、案内図そのものをサーバ装置２０で生成し、生成した案内図を受信して表示するようにしても良い。
【０１４０】
このように、現在位置を判別するための信号及び目的を送信することにより、案内情報生成部５８は、受信したサーバ装置２０が各種データにより生成した案内情報に基づいて案内図を生成し、表示部５０に表示させることができる。
【０１４１】
次に、移動サポートモード処理（図７のステップ２１４の処理）について図１１を参照して詳細に説明する。図１１は、本実施の形態の移動サポートモード処理の一例を示すフローチャートである。
【０１４２】
まずステップ４００では、現在位置情報取得部５６が現在位置情報の要求をサーバ装置２０（駅構内に設置されている送受信機３６）に可視光通信により送信し、当該要求に対してサーバ装置２０から送られてきた現在位置情報を次のステップ４０２で受信する。
【０１４３】
次のステップ４０４では、受信した現在位置を表示部５０に表示する。なお、本実施の形態では、表示部５０に表示されている案内図（経路）上に現在位置を表示する。
【０１４４】
次のステップ４０６では目的のホームに到着したか否かを判断する。到着したか否かの判断は現在位置が目的のホームと一致したか否かにより判断する。未だ到着していない（移動中）の場合は否定されて、ステップ４００に戻り本処理を繰り返す。一方、到着した場合は肯定されて、ステップ４０８へ進み、ステップ４０８では、ホームに到着したことを報知部５１により報知し、ステップ４１０へ進む。
【０１４５】
ステップ４１０では、乗車口（乗車位置）の案内を行なうか否か判断する。行なわない場合は否定されて、本処理を終了する。一方、続けて乗車口の案内を行なう場合はステップ４１２へ進む。ステップ４１２では、現在位置情報取得部５６が現在位置情報の要求をサーバ装置２０（ホームに設置されている送受信機３６）に可視光通信により送信し、当該要求に対してサーバ装置２０から送られてきた現在位置情報を次のステップ４１４で受信する。
【０１４６】
次のステップ４１６では、受信した現在位置を表示部５０に表示する。なお、本実施の形態では、より詳細に案内を行なうために、図１２（Ａ）に一例を示すように、車両のみを表示させてこれに現在位置を書込むようにすると良い。図１２は、具体的な一例として、利用者（銀座線に乗車）が東横線に乗換える場合に最適な乗車口を案内するために提供する案内図である。図１２（Ｂ）は乗換駅における車両の停車位置と最適乗換位置との関係を表したものである。このように東横線に乗換る場合は、先頭車両から４番目の車両に乗車することが好ましいため、本実施の形態では、図１２（Ａ）に示す案内図を表示部５０に表示する。なお、これに限らず、例えば、ホームのみを表示させてこれに現在位置を書込むようにしても良い。
【０１４７】
次のステップ４１８では目的の乗車口に到着したか否かを判断する。到着したか否かの判断は現在位置が目的の乗車口と一致したか否かにより判断する。未だ到着していない（移動中）の場合は否定されて、ステップ４１２に戻り本処理を繰り返す。一方、到着した場合は肯定されて、ステップ４２０へ進み、ステップ４２０では、乗車口に到着したことを報知部５１により報知した後、本処理を終了する。
【０１４８】
なお、サポートする移動先（目的地）はこれに限らず、車両内の座席（指定席）まで案内するようにしても良い。この場合車両内に設置された送受信機３８と可視光通信を行なうことにより現在位置を取得すればより詳細に案内を提供することが出来る。
【０１４９】
また、利用者の現在位置が案内図生成処理により生成した案内図の経路を外れた場合は表示部５０や報知部５１により警告を発するようにしても良い。さらに、目的地までの新たな案内図を生成し、表示提供するようにしても良い。
【０１５０】
このように、利用者の移動に伴って、現在位置情報取得部５６で現在位置を取得し現在位置と目的地とが一致した場合に報知部５１により報知するため、目的地に合わせて詳細に案内を行なうことが出来る。これにより、利用者は希望する目的地に速やかに到着することができる。
【０１５１】
次に、車内モード処理（図７のステップ２２０の処理）について図１３を参照して詳細に説明する。なお、本処理は利用者が車両に乗車中に実行される処理である。図１３は、本実施の形態の車内モード処理の一例を示すフローチャートである。
【０１５２】
まずステップ５００では、現在位置情報の要求を送信するか否か判断する。利用者から現在位置を取得するよう指示入力が無い場合は否定されて、ステップ５１０へ進む。一方、指示入力があった場合は肯定されて、ステップ５０２へ進む。ステップ５０２では、現在位置情報取得部５６が現在位置情報の要求を車両３８（車両３８に設置されている送受信機）に可視光通信により送信する。なお本実施の形態では、車両３８はデータベース８７を含んでおり、当該データベース８７に鉄道の運行状況や現在の位置等が格納されている（図５参照）。従って次のステップ５０４では、車両３８から送られてきた現在位置情報を受信する。
【０１５３】
次のステップ５０６では、受信した現在位置情報に基づいて利用者に提供する案内図を案内情報生成部５８で生成し、次のステップ５０８では生成した案内図を表示部５０に表示する。本実施の形態におけるこの場合の案内図の具体的な一例を図１４に示す。図１４は、具体的な一例として、出発駅から到着駅（目的地の駅）との間で利用者が乗車している鉄道の走行位置（現在位置）を示した案内図である。なお、案内図はこれに限らない。また、到着予定時刻等の情報も表示するようにしても良いし、利用者の乗車位置を表示するようにしても良い。
【０１５４】
次のステップ５１０では、目的駅に到着したか否かを判断する。まだ到着しない場合は否定されて、ステップ５００に戻り、本処理を繰り返す。一方、目的駅に到着した場合は肯定されて、ステップ５１２へ進み、ステップ５１２では、報知部５１により目的駅に到着したことを利用者に報知した後、本処理を終了する。なお、目的駅とは、乗換駅であっても、最終到着駅であっても良い。
【０１５５】
なお、本実施の形態では、車両３８のＨＤＤ８７からデータ（現在位置情報）を取得しているがこれに限らず、車両３８を介してサーバ装置２０等から取得するようにしても良い。
【０１５６】
このように、車両３８と可視光通信部４６で可視光通信を行なえるため、現在位置情報取得部５６で現在位置を取得することができ、さらに目的駅に到着した場合に報知部５１により報知するため、利用者が走行中の鉄道に乗車している場合においても目的地に合わせて詳細に案内を行なうことが出来る。
【０１５７】
次に、図１５を参照して本実施の形態のサーバ装置２０における交通案内処理について詳細に説明する。図１５は、本実施の形態のサーバ装置２０で実行される交通案内処理の一例を示すフローチャートである。図１５に示す処理は、サーバ装置２０に電源が投入されると、演算処理部２１に含まれるＣＰＵ（図示省略）により実行される。
【０１５８】
まずステップ６００では、要求を受信したか否かを判断する。受信するまでは否定されて、待機状態になる。一方、携帯端末１０から何らかの要求を受信した場合は肯定されて、ステップ６０２へ進む。ステップ６０２では、受信した要求が現在位置情報の要求であるか否かを判断する。現在位置情報の要求である場合は肯定されて、ステップ６０４へ進む。ステップ６０４では、現在位置情報を携帯端末１０に送信（図８のステップ３０２、及び図１１のステップ４０２、ステップ４１４で受信）した後、ステップ６３４へ進む。本実施の形態では、要求が送信されてきた送受信機３６固有の信号と位置情報データベース２２Ｇに記憶されている送信機３６固有の位置を表すデータとを照合し、送信機３６の位置を特定し、特定した位置を携帯端末１０の現在位置情報として送信している。
【０１５９】
一方、その他の要求を受信した場合は否定されて、ステップ６０６へ進む。ステップ６０６では、要求された情報を対応するデータベース２２から読出す。その他の要求とは、路線データ、時刻表データ、構内図データ、及び車両構成図データ等の情報の要求である。
【０１６０】
次のステップ６０８では、案内情報を生成するか否かを判断する。生成しない場合（携帯端末１０が各種データを受信して案内図を生成する図８の処理を行なう場合に対応）は否定されて、ステップ６３２へ進み、要求された情報を送信（図１０のステップ３１２、及びステップ３２２で受信）する。一方、生成する場合（携帯端末１０が各種データによりサーバ装置２０が生成した案内情報を受信してこれに基づいて案内図を生成する図１０の処理を行なう場合に対応）は肯定されて、ステップ６１０へ進む。
【０１６１】
ステップ６１０では、現在位置判別信号（図１０のステップ３５０で送信した信号）を受信し、次のステップ６１２では、位置情報データベース２２Ｇを照合し、現在位置を判別する。次のステップ６１４では、目的地情報（図１０のステップ３５７で送信）を受信する。
【０１６２】
次のステップ６１６では、判別した現在位置と目的情報とから利用者が目的地まで利用可能な乗車路線のデータを路線データベース２２Ａから、時刻表のデータを時刻表データベース２２Ｂからそれぞれ読出し、次のステップ６１８では、これに基づいて乗車路線及び時刻表の候補を生成し、さらに次のステップ６２０では、生成した乗車路線及び時刻表の候補を携帯端末１０に送信（図１０のステップ３６０で受信）する。
【０１６３】
次のステップ６２２では送信した候補を利用者が選択した結果（図１０のステップ３６６で送信）を受信し、次のステップ６２４では受信した選択結果に基づいて構内図データを構内図データベース２２Ｃから、車両構成図のデータを車両構成図データベース２２Ｄから読み出す。次のステップ６２６では、条件設定を受信したか否か判断する。受信しない場合（図１０のステップ３６８で否定された場合）は否定されて、ステップ６３０へ進み、例えば、最短距離となるような経路に関する案内情報を生成した後、ステップ６３２へ進む。一方、受信した場合（図１０のステップ３６８で肯定されてステップ３７０で送信）は肯定されて、ステップ６２８へ進む。ステップ６２８では、受信した条件設定を満たす経路に関する案内情報を生成した後、ステップ６３２へ進む。
【０１６４】
ステップ６３２では、案内情報を携帯端末１０に送信（図１０のステップ３７２で受信）した後、ステップ６３４へ進む。ステップ６３４では、本処理を終了するか否かを判断する。終了しない場合は否定されて、ステップ６００に戻り、本処理を繰り返す。一方、肯定された場合は本処理を終了する。
【０１６５】
なお、本実施の形態では、目的地の駅までの交通案内について詳細に説明しているが、到着後の駅構内の交通案内や乗換え時の交通案内等も同様に行なうことができる。
【０１６６】
また、本実施の形態では、鉄道に関する交通案内についてのみ説明しているが、これに限らず、例えば、バスや航空機、船舶等他の交通機関をも含めた交通案内を行なうようにしても良く、この場合はバスステーション（バスターミナル）や空港、及び乗船場についての案内等を生成するようにすると良い。
【０１６７】
以上説明したように、本実施の形態のサーバ装置２０では、携帯端末１０に送受信機３６を介して可視光通信により現在位置情報を提供（送信）し、さらに路線データ、時刻表データ、構内図データ、及び車両構成図データを提供（送信）することができるので、携帯端末１０を利用する利用者の希望に合わせた交通案内情報を提供することが出来る。
【０１６８】
また、携帯端末１０から送受信機３６を介して可視光通信により受信した現在位置判別信号により携帯端末１０の現在位置を判別し、現在位置と目的地とに基づいて目的地までの案内情報を生成し、携帯端末１０に提供（送信）することができるので、携帯端末１０を利用する利用者の希望に合わせた交通案内情報を提供することが出来る。
【０１６９】
［第２の実施の形態］
以下、図面を参照して本発明の実施の形態を詳細に説明する。なお、本実施の形態では、車両に乗車している利用者が後発の列車への乗換えを希望する場合、特に空いている列車に乗換えを希望する場合に詳細な交通案内情報を提供する場合について詳細に説明する。なお、本実施の形態は、第１の実施の形態と略同様の構成及び作用であるので、同一部分には、同一符号を付して詳細な説明は省略する。また、交通案内システム１の全体構成、サーバ装置２０、送受信機３６、及び車両３８の概略構成は第１の実施の形態と略同様の構成であるためここでは説明を省略する。なお、本実施の形態では、演算処理部２１、画像データベース２２Ｅ、乗車状況データベース２２Ｆ、画像補間機構部２６、及び構内／バスターミナル撮影カメラ２７が乗客数情報提供手段に対応している。
【０１７０】
本実施の形態の携帯端末について図１６を参照して詳細に説明する。図１６は、本実施の形態の携帯端末１２の概略構成の一例を示す機能ブロック図である。
【０１７１】
本実施の形態の携帯端末１２は、制御部５５、現在位置情報取得部５６、目的地指示部５７、表示部５０、切符情報読取部４４、可視光通信部４６、混雑情報生成部９０、及び到着時間差算出部９１を備えて構成されている。制御部５５、現在位置情報取得部５６、目的地指示部５７、表示部５０、切符情報読取部４４、及び可視光通信部４６は第１の実施の形態と略同一であるため説明を省略する。
【０１７２】
混雑情報生成部９０は、サーバ装置２０から乗換え可能な列車やホーム等の乗客数情報（詳細後述）を受信し、受信した乗客数情報に基づいて列車やホーム等の混雑情報を生成するものである。
【０１７３】
到着時間差算出部９１は、現在位置情報に基づいて目的地に到着する到着時刻と、乗換えた場合に目的地に到着する乗換到着時刻との時間差を算出するものである。具体的には、後発の電車に乗換えた場合に到着が予定より遅れる時間を算出する。
【０１７４】
次に、本実施の形態の携帯端末１２で実行される乗換案内処理（交通案内処理）について図１７及び図１８を参照して詳細に説明する。図１７は、本実施の形態の携帯端末１２で実行される乗換案内処理の一例を示すフローチャートである。図１７に示す処理は携帯端末１２に電源が投入されると、ＣＰＵ４０により実行される。
【０１７５】
まずステップ７００では交通案内モードが選択されたか否かを判断する。選択がされるまでは否定されて、待機状態になる。一方、利用者が交通案内モードを選択した場合は肯定されて、ステップ７０２へ進む。さらに、本処理では利用者が乗換案内を希望するので、ステップ７０２では、乗換案内モードを設定する。
【０１７６】
次のステップ７０４では、現在位置情報取得部５６が現在位置情報の要求を車両３８に可視光通信により送信し、次のステップ４０６では、車両３８から送られてきた現在位置情報を受信する。
【０１７７】
次のステップ７０８では、切符情報の読取りを行なうか否か判断する。切符情報の読取りを行なう場合は肯定されて、ステップ７１０へ進み、ステップ７１０では、切符情報読取部４４で切符情報を読取った後、ステップ７１４へ進む。一方、切符情報を読取らない場合は否定されて、ステップ７１２へ進む。ステップ７１２では、利用者が指示部４５により入力した目的地情報を読取った後、ステップ７１４へ進む。
【０１７８】
ステップ７１４では、接続電車の検索を行なう。本実施の形態における、接続電車の検索の一例を以下に示すが、これに限定されるものではない。
【０１７９】
利用者が現在乗車している列車が目的地までの各駅に到着する到着時刻を取得する。次に、到着時刻を取得した各駅における後発列車選択可能時間帯を算出する。後発列車選択可能時間帯とは、取得した到着時刻に、各駅において利用者が乗換えのために列車を待つことが可能な予め定めた時間であり具体的には、１０分以内等とした時間を加味した時間帯である。さらに、後発列車選択可能時間帯に発車する列車を接続電車とすることにより検索を行なう。また、後発列車選択可能時間帯に発車する列車が無い場合は、最も早く発車する列車を接続電車とする。
【０１８０】
次のステップ７１６では、検索した接続電車が始発列車であるか否かを判断する。始発列車ではない場合は否定されて、ステップ７１８へ進む。ステップ７１８では、接続駅（接続列車）を選択した後、ステップ７２２へ進む。なお、接続駅の選択は、任意の駅としても良いし、利用者の選択指示によるものでも良い。一方、始発列車である場合は肯定されて、ステップ７２０へ進み、始発列車の始発駅を接続駅とした後、ステップ７２２へ進む。
【０１８１】
ステップ７２２では、接続駅に乗客数情報の要求を送信する。当該要求に対してサーバ装置２０から送信されてきた乗客数情報をステップ７２４で受信する。次のステップ７２６では、乗客数情報に基づいて混雑情報を生成する。本実施の形態では、一例として、サーバ装置２０から各車両の乗客の数が乗客数情報として送られてくるものとしているため、これを利用者の利用しやすい形態（表示形式）で表示部５０に表示するための混雑情報を生成する。混雑情報の表示例を図１８に示す。図１８は車両毎の混雑情報（混雑状況）を表したものであり、具体的一例として、最も混雑しているのが進行方向３両目であり、次に混雑しているのが一番前であり、さらに次に混雑しているのが２両目及び４両目である場合を示している。（Ａ）は各車両毎に、濃度（色）により混雑状況を示したものであり、（Ｂ）は、斜線部の面積により混雑状況を示したものであり、（Ｃ）は点描の量により混雑状況を示したものであり、（Ｄ）は記号（○×△）により混雑状況を示したものである。なお混雑状況の表示はこれに限らず、テキスト形式による表示等他の表示形式であってもかまわない。
【０１８２】
次のステップ７２８では、到着時間差算出部９１により利用者が乗換えた場合と乗換えない場合との到着時間の時間差を算出し、次のステップ７３０では、混雑情報及び算出さいた時間差を表示部５０に表示した後、ステップ７３２へ進む。
【０１８３】
ステップ７３２では、本処理を終了するか否か判断する。他の乗換えについての情報の提供を利用者が希望する場合などは否定されて、ステップ７３４へ進み、ステップ７３４では、次の候補の接続駅（接続列車）を選択した後、ステップ７２２に戻り、本処理を繰り返す。一方、肯定されると本処理を終了する。
【０１８４】
以上説明したように、本実施の形態の携帯端末１２では、現在位置と目的地との間の駅における後続の接続電車、特に始発電車の乗客数情報を可視光通信によりサーバ装置２０から車両内の送受信機３８から受信し、混雑情報生成部９０で混雑情報を生成し、生成した混雑情報と到着時間差算出部９１で算出した到着時間差を表示部５０に表示することができるので、車両に乗車している利用者が後発の列車への乗換えを希望する場合、特に空いている列車に乗換えを希望する場合に詳細な交通案内情報を提供することができる。
【０１８５】
次に、図１９を参照して本実施の携帯のサーバ装置２０における交通案内処理について詳細に説明する。図１９は、本実施の形態のサーバ装置２０で実行される交通案内処理の一例を示すフローチャートである。図１９に示す処理は、サーバ２０に電源が投入されると、演算処理部２１に含まれるＣＰＵ（図示省略）により実行される。
【０１８６】
まずステップ８００では、要求を受信したか否かを判断する。受信するまでは否定されて、待機状態になる。一方、携帯端末１２から何らかの要求を受信した場合は肯定されて、ステップ８０２へ進む。ステップ８０２では、受信した要求が乗客数情報の要求であるか否かを判断する。乗客数情報の要求ではない場合は否定されて、ステップ８０４へ進み、その他の要求された情報を送信する等の処理を行なった後、ステップ８１６へ進む。一方、乗客数情報が要求された場合は肯定されて、ステップ８０６へ進む。ステップ８０６では乗客数情報が乗車状況データベース２２Ｆに記憶されているか否かを判断する。記憶されている場合は肯定されて、ステップ８０８へ進み、ステップ８０８では、乗車状況データベース２２Ｆから乗客数情報を読出した後、ステップ８１４へ進む。
【０１８７】
一方、乗客数情報が記憶されていない場合は否定されて、ステップ８１０へ進む。ステップ８１０では、画像データベース２２Ｅからホームまたは車両内を撮影した画像の画像データを読出し、次のステップ８１２では、当該画像データを画像解析等して、撮像されている乗客の数をカウントすることにより乗客数情報を生成した後、ステップ８１４へ進む。
【０１８８】
ステップ８１４では、乗客数情報を携帯端末１２に送信した後、ステップ８１６へ進み、本処理を終了するか否かを判断する。本処理を終了しない場合は否定されて、ステップ８００に戻り、本処理を繰り返す。一方、肯定されると本処理を終了する。
【０１８９】
以上説明したように、本実施の形態のサーバ装置２０では、携帯端末１２から車両内の送受信機３８を介して要求された接続電車の乗客数情報を提供（送信）することができるので、車両に乗車している利用者が後発の列車への乗換えを希望する場合、特に空いている列車に乗換えを希望する場合に詳細な交通案内情報を提供することができる。
【０１９０】
［第３の実施の形態］
以下、図面を参照して本発明の実施の形態を詳細に説明する。なお、本実施の形態では、利用者がバスの運行状況や系統に関する情報（バス識別情報）を希望する場合に、詳細な交通案内情報を提供する場合について詳細に説明する。なお、本実施の形態は、第１の実施の形態の交通案内システム１、携帯端末１０、サーバ装置２０、送受信機３６、及び車両３８の概略構成と略同様の構成であるためここでは詳細な説明は省略する。
【０１９１】
本実施の形態ではバスに関する交通案内情報を提供するものであり、第１の実施の形態では列車に関する交通案内情報を提供するものである点が異なるが、概略構成は同一である。本実施の形態では、サーバ装置２０はバスターミナル（バスステーション）等に設置されており、車両３８はバス３８に対応する。
【０１９２】
本実施の形態の携帯端末１０で実行されるバス識別モード処理について図２０及び図２１を参照して詳細に説明する。図２０は、本実施の携帯の携帯端末１０で実行されるバス識別モード処理の一例を示すフローチャートである。図２０に示す処理は携帯端末１０に電源が投入されると、ＣＰＵ４０により実行される。
【０１９３】
まずステップ９００では交通案内モードが選択されたか否かを判断する。選択がされるまでは否定されて、待機状態になる。一方、利用者が交通案内モードを選択した場合は工程されて、ステップ９０２へ進む。さらに、本処理では利用者がバスの運行情報の識別を希望するので、ステップ９０２では、バス識別モードを設定する。
【０１９４】
次のステップ９０４では、バス個体情報の要求を送信する。本実施の形態における、携帯端末１０からサーバ装置２０に対する要求の送信について図２１を参照して詳細に説明する。図２１は、運行情報の識別対象であるバスを示している。図２１に示すように、バスにおいては可視光通信部８０がライトや行先案内表示板等の車両周囲の発光部に設置されている。本実施の形態では、当該可視光通信部８０と携帯端末１０との間で可視光通信を行うことにより交通案内情報の送受信を行っている。
【０１９５】
次のステップ９０６では、要求の送信に対してサーバ装置２０から送信されてきたバス個体情報を受信し、次のステップ９０８では、受信したバス個体情報を表示部５０に表示した後、ステップ９１０へ進み、本処理を終了するか否かを判断する。利用者が他のバスの個体情報の識別を希望する場合等は否定されて、ステップ９０４に戻り、本処理を繰り返す。一方、肯定されると本処理を終了する。
【０１９６】
以上説明したように、本実施の形態の携帯端末１０では、バスの発光部に設置された可視光通信部８０と可視光通信によりバスの識別情報（個体情報）の送受信を行なうことが出来るので、バスの運行状況や系統に関する情報（バス識別情報）を知りたいという利用者の希望に合わせて詳細な交通案内情報を提供することができる。
【図面の簡単な説明】
【０１９７】
【図１】本発明の第１の実施の形態に係る交通案内システムの概略構成の一例を示す構成図である。
【図２】本発明の第１の実施の形態に係る携帯端末の概略構成の一例を示す構成図である。
【図３】本発明の第１の実施の形態に係る携帯端末の概略構成の一例を示す機能ブロック図である。
【図４】本発明の第１の実施の形態に係る照明装置等に設置された送受信機の概略構成の一例を示す機能ブロック図である。
【図５】本発明の第１の実施の形態に係る車両の概略構成の一例を示す機能ブロック図である。
【図６】本発明の第１の実施の形態に係る携帯端末で実行される駅構外から駅までの交通案内処理の一例を示すフローチャートである。
【図７】本発明の第１の実施の形態の携帯端末で実行される駅構内から目的地の駅までの交通案内処理の一例を示すフローチャートである。
【図８】本発明の第１の実施の形態の携帯端末で実行される、サーバ装置のデータベースに格納されている各種データを受信して案内図を生成する場合の案内図生成処理の一例を示すフローチャートである。
【図９】本発明の第１の実施の形態の現在地から目的地（乗車位置）までの経路の案内図の一例を示す説明図である。
【図１０】本発明の第１の実施の形態の携帯端末で実行される、サーバ装置が各種データにより生成した案内情報を受信してこれに基づいて案内図を生成する場合の案内図生成処理の一例を示すフローチャートである。
【図１１】本発明の第１の実施の形態の携帯端末で実行される移動サポートモード処理の一例を示すフローチャートである。
【図１２】本発明の第１の実施の形態において利用者が東横線に乗換える場合に最適な乗車口を案内するために提供する案内図の具体的な一例を説明するための説明図である。
【図１３】本発明の第１の実施の形態の携帯端末で実行される車内モード処理の一例を示すフローチャートである。
【図１４】出発駅から到着駅との間で利用者が乗車している鉄道の走行位置（現在位置）を示した案内図の具体的な一例を説明するための説明図である。
【図１５】本発明の第１の実施の形態のサーバ装置で実行される交通案内処理の一例を示すフローチャートである。
【図１６】本発明の第２の実施の形態に係る携帯端末の概略構成の一例を示す機能ブロック図である。
【図１７】本発明の第２の実施の形態の携帯端末で実行される乗換え案内処理の一例を示すフローチャートである。
【図１８】本発明の第２の実施の形態の車両毎の混雑情報（混雑状況）の一例を説明するための説明図であり、（Ａ）は濃度（色）により示したものであり、（Ｂ）は斜線部の面積により示したものであり、（Ｃ）は点描の量により示したものであり、（Ｄ）は記号（○×△）により示したものである。
【図１９】本発明の第２の実施の形態のサーバ装置で実行される交通案内処理の一例を示すフローチャートである。
【図２０】本発明の第３の実施の形態の携帯端末で実行されるバス識別モード処理の一例を示すフローチャートである。
【図２１】本発明の第３の実施の形態の携帯端末とバスとの間での可視光通信についての一例を説明するための説明図である。
【符号の説明】
【０１９８】
１  交通案内システム
１０、１２  携帯端末
２０  サーバ装置
２１  演算処理部
２２  データベース
２７  構内／バスターミナル撮影カメラ
３６  送受信機
３８  車両、バス
４０  ＣＰＵ
４４  撮像装置（切符情報読取部）
４６、７０、８０  可視光通信部
４７  ＧＰＳ通信部
４８  通信切替部
５０  表示部
５１  報知部
５５  制御部
５６  現在位置情報取得部
５７  目的地指示部
５８  案内情報生成部
５９  条件設定部
６０  運行情報取得部
９１  到着時間差算出部
９０  混雑情報生成部
【図１】
2009085784.tif 000003
【図２】
2009085784.tif 000004
【図３】
2009085784.tif 000005
【図４】
2009085784.tif 000006
【図５】
2009085784.tif 000007
【図６】
2009085784.tif 000008
【図７】
2009085784.tif 000009
【図８】
2009085784.tif 000010
【図９】
2009085784.tif 000011
【図１０】
2009085784.tif 000012
【図１１】
2009085784.tif 000013
【図１２】
2009085784.tif 000014
【図１３】
2009085784.tif 000015
【図１４】
2009085784.tif 000016
【図１５】
2009085784.tif 000017
【図１６】
2009085784.tif 000018
【図１７】
2009085784.tif 000019
【図１８】
2009085784.tif 000020
【図１９】
2009085784.tif 000021
【図２０】
2009085784.tif 000022
【図２１】
2009085784.tif 000023